【手続補正書】
【提出日】平成21年12月11日(2009.12.11)
【手続補正１】
【補正対象書類名】特許請求の範囲
【補正対象項目名】全文
【補正方法】変更
【補正の内容】
【特許請求の範囲】
【請求項１】
他のテレビジョン放送受信装置と通信可能に接続されたテレビジョン放送受信装置であって、
前記テレビジョン放送受信装置が受信できるチャンネルで放送される放送番組に関する第１の番組情報を記憶する第１の記憶手段と、
前記他のテレビジョン放送受信装置が受信できるチャンネルで放送される放送番組に関する第２の番組情報を、前記他のテレビジョン放送受信装置から取得する取得手段と、
取得した前記第２の番組情報を記憶する第２の記憶手段と、
前記第１の番組情報と前記第２の番組情報とに基づいて、前記テレビジョン放送受信装置のチャンネル選局と、前記他のテレビジョン放送受信装置のチャンネル選局とを制御するために用いる第３の番組情報を生成する生成手段と、
前記第３の番組情報を前記他のテレビジョン放送受信装置に送出する送出手段と、
ユーザが前記第３の番組情報を用いて、前記テレビジョン放送受信装置で受信するチャンネルの選局処理を指示した場合、このチャンネルの選局を前記他のテレビジョン放送受信装置に指示するための選局通知情報を前記他のテレビジョン放送受信装置に送信する通知手段と、
を有し、
前記第３の番組情報は、前記第１の番組情報と前記第２の番組情報の中から、前記テレビジョン放送受信装置が受信できるチャンネル及び前記他のテレビジョン放送受信装置が受信できるチャンネルにおいて同一時間帯に放送され、かつ、少なくとも番組名が同じ番組と当該番組を放送するチャンネルを抽出して生成される
ことを特徴とするテレビジョン放送受信装置。
【請求項２】
他のテレビジョン放送受信装置と通信可能に接続されたテレビジョン放送受信装置の制御方法であって、
前記テレビジョン放送受信装置が受信できるチャンネルで放送される放送番組に関する第１の番組情報を所定の記憶部に記憶する第１の記憶ステップと、
前記他のテレビジョン放送受信装置が受信できるチャンネルで放送される放送番組に関する第２の番組情報を、前記他のテレビジョン放送受信装置から取得する取得ステップと、
取得した前記第２の番組情報を所定の記憶部に記憶する第２の記憶ステップと、
前記第１の番組情報と前記第２の番組情報とに基づいて、前記テレビジョン放送受信装置のチャンネル選局と、前記他のテレビジョン放送受信装置のチャンネル選局を制御するために用いる第３の番組情報を生成する生成ステップと、
前記第３の番組情報を前記他のテレビジョン放送受信装置に送出する送出ステップと、
ユーザが前記第３の番組情報を用いて、前記テレビジョン放送受信装置で受信するチャンネルの選局処理を指示した場合、このチャンネルの選局を前記他のテレビジョン放送受信装置に指示するための選局通知情報を前記他のテレビジョン放送受信装置に送信する通知ステップと、
を有し、
前記第３の番組情報は、前記第１の番組情報と前記第２の番組情報の中から、前記テレビジョン放送受信装置が受信できるチャンネル及び前記他のテレビジョン放送受信装置が受信できるチャンネルにおいて同一時間帯に放送され、かつ、少なくとも番組名が同じ番組と当該番組を放送するチャンネルを抽出して生成される
ことを特徴とするテレビジョン放送受信装置の制御方法。
【請求項３】
他のテレビジョン放送受信装置と通信可能に接続されたテレビジョン放送受信装置であって、
ユーザにより前記テレビジョン放送受信装置の選局操作が行われた場合、前記他のテレビジョン放送受信装置でも前記テレビジョン放送受信装置で選局されたチャンネルで放送されている番組が放送されているチャンネルを自動的に選局するように、前記他のテレビジョン放送受信装置を制御可能な第１の視聴モードと、
前記テレビジョン放送受信装置の選局操作が行われても、前記他のテレビジョン放送受信装置の選局動作を制御しない第２の視聴モードと、
を有し、
前記少なくとも２つのモードのうち、いずれか一方のモードを選択するためのユーザ操作を受け付ける手段と、
ユーザにより選択されたモードが前記第１の視聴モードである場合、前記テレビジョン放送受信装置でユーザがチャンネルを選局した場合、前記他のテレビジョン放送受信装置に対して、前記テレビジョン放送受信装置で選局されたチャンネルで放送されている番組が放送されているチャンネルを選局するための制御情報を通知する通知手段と、
を備えることを特徴とするテレビジョン放送受信装置。
【請求項４】
前記他のテレビジョン放送受信装置で受信可能な番組の番組情報を取得し、この番組情報に基づいて前記制御情報を生成する制御手段を備えることを特徴とする請求項３に記載のテレビジョン放送受信装置。
【請求項５】
他のテレビジョン放送受信装置と通信可能に接続されたテレビジョン放送受信装置の制御方法であって、
ユーザにより前記テレビジョン放送受信装置の選局操作が行われた場合、前記他のテレビジョン放送受信装置でも前記テレビジョン放送受信装置で選局されたチャンネルで放送されている番組が放送されているチャンネルを自動的に選局するように、前記他のテレビジョン放送受信装置を制御可能な第１の視聴モードと、
前記テレビジョン放送受信装置の選局操作が行われても、前記他のテレビジョン放送受信装置の選局動作を制御しない第２の視聴モードと、
を有し、
前記少なくとも２つのモードのうち、いずれか一方のモードを選択するためのユーザ操作を受け付けるステップと、
ユーザにより選択されたモードが前記第１の視聴モードである場合、前記テレビジョン放送受信装置でユーザがチャンネルを選局した場合、前記他のテレビジョン放送受信装置に対して、前記テレビジョン放送受信装置で選局されたチャンネルで放送されている番組が放送されているチャンネルを選局するための制御情報を通知する通知ステップと、
を備えることを特徴とするテレビジョン放送受信装置の制御方法。
【請求項６】
前記他のテレビジョン放送受信装置で受信可能な番組情報を取得し、この番組情報に基づいて前記制御情報を生成する制御ステップを備えることを特徴とする請求項５に記載のテレビジョン放送受信装置の制御方法。
【手続補正２】
【補正対象書類名】明細書
【補正対象項目名】０００４
【補正方法】変更
【補正の内容】
【０００４】
本発明に係るテレビジョン放送受信装置は、他のテレビジョン放送受信装置と通信可能に接続されたテレビジョン放送受信装置であって、前記テレビジョン放送受信装置が受信できるチャンネルで放送される放送番組に関する第１の番組情報を記憶する第１の記憶手段と、前記他のテレビジョン放送受信装置が受信できるチャンネルで放送される放送番組に関する第２の番組情報を、前記他のテレビジョン放送受信装置から取得する取得手段と、取得した前記第２の番組情報を記憶する第２の記憶手段と、前記第１の番組情報と前記第２の番組情報とに基づいて、前記テレビジョン放送受信装置のチャンネル選局と、前記他のテレビジョン放送受信装置のチャンネル選局とを制御するために用いる第３の番組情報を生成する生成手段と、前記第３の番組情報を前記他のテレビジョン放送受信装置に送出する送出手段と、ユーザが前記第３の番組情報を用いて、前記テレビジョン放送受信装置で受信するチャンネルの選局処理を指示した場合、このチャンネルの選局を前記他のテレビジョン放送受信装置に指示するための選局通知情報を前記他のテレビジョン放送受信装置に送信する通知手段と、を有し、前記第３の番組情報は、前記第１の番組情報と前記第２の番組情報の中から、前記テレビジョン放送受信装置が受信できるチャンネル及び前記他のテレビジョン放送受信装置が受信できるチャンネルにおいて同一時間帯に放送され、かつ、少なくとも番組名が同じ番組と当該番組を放送するチャンネルを抽出して生成されることを特徴とする。
【手続補正３】
【補正対象書類名】明細書
【補正対象項目名】０００５
【補正方法】変更
【補正の内容】
【０００５】
本発明に係るテレビジョン放送受信装置の制御方法は、他のテレビジョン放送受信装置と通信可能に接続されたテレビジョン放送受信装置の制御方法であって、前記テレビジョン放送受信装置が受信できるチャンネルで放送される放送番組に関する第１の番組情報を所定の記憶部に記憶する第１の記憶ステップと、前記他のテレビジョン放送受信装置が受信できるチャンネルで放送される放送番組に関する第２の番組情報を、前記他のテレビジョン放送受信装置から取得する取得ステップと、取得した前記第２の番組情報を所定の記憶部に記憶する第２の記憶ステップと、前記第１の番組情報と前記第２の番組情報とに基づいて、前記テレビジョン放送受信装置のチャンネル選局と、前記他のテレビジョン放送受信装置のチャンネル選局を制御するために用いる第３の番組情報を生成する生成ステップと、前記第３の番組情報を前記他のテレビジョン放送受信装置に送出する送出ステップと、ユーザが前記第３の番組情報を用いて、前記テレビジョン放送受信装置で受信するチャンネルの選局処理を指示した場合、このチャンネルの選局を前記他のテレビジョン放送受信装置に指示するための選局通知情報を前記他のテレビジョン放送受信装置に送信する通知ステップと、を有し、前記第３の番組情報は、前記第１の番組情報と前記第２の番組情報の中から、前記テレビジョン放送受信装置が受信できるチャンネル及び前記他のテレビジョン放送受信装置が受信できるチャンネルにおいて同一時間帯に放送され、かつ、少なくとも番組名が同じ番組と当該番組を放送するチャンネルを抽出して生成されることを特徴とする。
【手続補正４】
【補正対象書類名】明細書
【補正対象項目名】０００６
【補正方法】変更
【補正の内容】
【０００６】
本発明に係るテレビジョン放送受信装置は、他のテレビジョン放送受信装置と通信可能に接続されたテレビジョン放送受信装置であって、ユーザにより前記テレビジョン放送受信装置の選局操作が行われた場合、前記他のテレビジョン放送受信装置でも前記テレビジョン放送受信装置で選局されたチャンネルで放送されている番組が放送されているチャンネルを自動的に選局するように、前記他のテレビジョン放送受信装置を制御可能な第１の視聴モードと、前記テレビジョン放送受信装置の選局操作が行われても、前記他のテレビジョン放送受信装置の選局動作を制御しない第２の視聴モードと、を有し、前記少なくとも２つのモードのうち、いずれか一方のモードを選択するためのユーザ操作を受け付ける手段と、ユーザにより選択されたモードが前記第１の視聴モードである場合、前記テレビジョン放送受信装置でユーザがチャンネルを選局した場合、前記他のテレビジョン放送受信装置に対して、前記テレビジョン放送受信装置で選局されたチャンネルで放送されている番組が放送されているチャンネルを選局するための制御情報を通知する通知手段と、を備えることを特徴とする。
【手続補正５】
【補正対象書類名】明細書
【補正対象項目名】０００７
【補正方法】変更
【補正の内容】
【０００７】
本発明に係るテレビジョン放送受信装置の制御方法は、他のテレビジョン放送受信装置と通信可能に接続されたテレビジョン放送受信装置の制御方法であって、ユーザにより前記テレビジョン放送受信装置の選局操作が行われた場合、前記他のテレビジョン放送受信装置でも前記テレビジョン放送受信装置で選局されたチャンネルで放送されている番組が放送されているチャンネルを自動的に選局するように、前記他のテレビジョン放送受信装置を制御可能な第１の視聴モードと、前記テレビジョン放送受信装置の選局操作が行われても、前記他のテレビジョン放送受信装置の選局動作を制御しない第２の視聴モードと、を有し、前記少なくとも２つのモードのうち、いずれか一方のモードを選択するためのユーザ操作を受け付けるステップと、ユーザにより選択されたモードが前記第１の視聴モードである場合、前記テレビジョン放送受信装置でユーザがチャンネルを選局した場合、前記他のテレビジョン放送受信装置に対して、前記テレビジョン放送受信装置で選局されたチャンネルで放送されている番組が放送されているチャンネルを選局するための制御情報を通知する通知ステップと、を備えることを特徴とする。